(57)【要約】【課題】モバイル端末のバッテリーの電源が少なくなったときに、画像形成装置が同じ印刷データを作成することで、ページ途中の印刷をできるだけ行わないようにできる印刷システムを提供する。【解決手段】モバイル端末１００の印刷データ送信処理部１１０ｂは、バッテリー残量が基準値以下であるとき、再構築容易性判定処理部１１０ｄにより再構築容易性レベルを決定する。印刷データ送信処理部１１０ｂは、再構築容易性レベルにより再構築が可能な印刷データであり、またページ区切りまで印刷データの送信が完了しているときには、印刷元データが取り出された場所を示すアドレスを画像形成装置２００に送信する。画像形成装置２００の印刷データ受信処理部２１０ａは、印刷元データアドレスから印刷元データを取り出し、印刷データ再構築処理部２１０ｂが印刷元データから印刷データを構築して残りのページの印刷データを印刷する。【選択図】図２
2016151905.tif 000002
【特許請求の範囲】
【請求項１】
バッテリー部から供給される電源で駆動するモバイル端末と前記モバイル端末と接続される画像形成装置とを有する印刷システムであって、
前記モバイル端末は、
印刷元データアドレスに基づいて取り出された印刷元データから印刷データを構築する印刷データ構築部と、
前記バッテリー部のバッテリー残量を検知するバッテリー残量検知部と、
前記画像形成装置により前記印刷元データの再構築が可能か不可能かの再構築容易性レベルを判定する再構築容易性判定部と、
前記印刷データを前記画像形成装置に送信する印刷データ送信部とを具備し、
前記印刷データ送信部は、前記印刷データの送信中に前記バッテリー残量が基準値以下となると、送信中の前記印刷データを構築した前記印刷元データの前記再構築容易性レベルに基づき、前記印刷元データの再構築が不可能である場合には、前記印刷データを引き続き前記画像形成装置に送信し、前記印刷元データの再構築が可能である場合には、前記印刷データの送信を停止して、前記印刷元データの前記印刷元データアドレスを前記画像形成装置に送信し、
前記画像形成装置は、
前記モバイル端末から前記印刷データと前記印刷元データアドレスとを受信する印刷データ受信部と、
前記印刷データ受信部によって受信された前記印刷データを印刷する印刷部と、
前記印刷データ受信部によって前記印刷元データアドレスが受信されると、前記印刷元データアドレスにより前記印刷元データを取り出し、取り出した前記印刷元データから再構築した前記印刷データを前記印刷部によって印刷させる印刷データ再構築部と
を備えることを特徴とする印刷システム。
【請求項２】
前記モバイル端末の前記印刷データ送信部は、前記印刷データのページ区切りまで送信した後に前記印刷元データアドレスを前記画像形成装置に送信することを特徴とする請求項１に記載の印刷システム。
【請求項３】
前記モバイル端末の前記再構築容易性レベルは、前記印刷元データアドレス、前記印刷元データが暗号化されているか否か、及び印刷元データにアクセスするときに認証が必要か否かの印刷元データ情報によりレベル分けされていることを特徴とする請求項１又は請求項２に記載の印刷システム。
【請求項４】
前記画像形成装置は、タイムアウト時間を管理するタイマー管理部を備え、
前記印刷データ受信部は、前記印刷データを受信する又は前記タイマー管理部からタイムアウト通知を入力するまで待ち状態とすることを特徴とする請求項１から請求項３のいずれか１項に記載の印刷システム。
【請求項５】
バッテリー部から供給される電源で駆動するモバイル端末であって、
印刷元データアドレスに基づいて取り出された印刷元データから印刷データを構築する印刷データ構築部と、
前記バッテリー部のバッテリー残量を検知するバッテリー残量検知部と、
画像形成装置により前記印刷元データの再構築が可能か不可能かの再構築容易性レベルを判定する再構築容易性判定部と、
前記印刷データを前記画像形成装置に送信する印刷データ送信部とを具備し、
前記印刷データ送信部は、前記印刷データの送信中に前記バッテリー残量が基準値以下となると、送信中の前記印刷データを構築した前記印刷元データの前記再構築容易性レベルに基づき、前記印刷元データの再構築が不可能である場合には、前記印刷データを引き続き前記画像形成装置に送信し、前記印刷元データの再構築が可能である場合には、前記印刷データの送信を停止して、前記印刷元データの前記印刷元データアドレスを前記画像形成装置に送信することを特徴とするモバイル端末。
【請求項６】
モバイル端末と接続される画像形成装置であって、
前記モバイル端末から印刷データと印刷元データアドレスとを受信する印刷データ受信部と、
前記印刷データ受信部によって受信された前記印刷データを印刷する印刷部と、
前記印刷データ受信部によって前記印刷元データアドレスが受信されると、前記印刷元データアドレスにより印刷元データを取り出し、取り出した前記印刷元データから再構築した前記印刷データを前記印刷部によって印刷させる印刷データ再構築部と
を備えることを特徴とする画像形成装置。
【発明の詳細な説明】
【技術分野】
【０００１】
本発明は、モバイル端末からの要求により画像形成装置が印刷を行う印刷システム、モバイル端末、及び画像形成装置に関する。
【背景技術】
【０００２】
プリンター、多機能プリンター、多機能周辺装置又は複合機（Multifunction Peripheral、MFP）である画像形成装置は、携帯電話、スマートフォン、又はタブレット端末などのモバイル端末とネットワークやインターネットで接続することができる。このように画像形成装置とネットワークやインターネットで接続可能なモバイル端末は、画像形成装置に対して画像、文字及び図形などのデータの印刷要求を行うことができる。また、モバイル端末から画像形成装置に印刷要求を行うときには、印刷する画像、文字及び図形などのデータ（以下、「印刷データ」という）を順に画像形成装置に送信する。このため、印刷データを画像形成装置に送信している途中でモバイル端末の電源が切れたときには、画像形成装置が途中までの印刷データしか受信できないので、ページの途中までしか印刷できないことがある。このように、ページの途中までしか印刷されない場合では、ページの途中までしか印刷されない用紙やその印刷に使用されたトナーが無駄になってしまう。この対策として、例えば、特許文献１の印刷システムでは、印刷中に端末側のバッテリー残量が所定値以下になったときには、ページ単位で印刷を中断することで、無駄な印刷物の発生を防止する技術が提案されている。
【先行技術文献】
【特許文献】
【０００３】
【特許文献１】ＷＯ２００４／０１２０７５号公報
【発明の概要】
【発明が解決しようとする課題】
【０００４】
しかし、印刷を中断した印刷データが一般的に入手可能なデータであれば、モバイル端末のバッテリーを充電した後、又は別のモバイル端末やＰＣ（パソコン）から、すぐに印刷を再開することができるが、入手が困難なデータの場合、印刷を再開することができない。例えば、Ｗｅｂサイトで購入した商品の決済画面などのようなＷｅｂサイトにアクセスしたモバイル端末だけが表示できる画面などの場合では、同じ画面を再び表示することができない。このため、印刷を中断すると、後で印刷することができないという問題があった。
【０００５】
本発明はこのような状況に鑑みてなされたものであり、上記課題を解決できる印刷システム、モバイル端末、及び画像形成装置を提供することを目的とする。
【課題を解決するための手段】
【０００６】
本発明のモバイル端末は、バッテリー部から供給される電源で駆動するモバイル端末と前記モバイル端末と接続される画像形成装置とを有する印刷システムであって、前記モバイル端末は、印刷元データアドレスに基づいて取り出された印刷元データから印刷データを構築する印刷データ構築部と、前記バッテリー部のバッテリー残量を検知するバッテリー残量検知部と、前記画像形成装置により前記印刷元データの再構築が可能か不可能かの再構築容易性レベルを判定する再構築容易性判定部と、前記印刷データを前記画像形成装置に送信する印刷データ送信部とを具備し、前記印刷データ送信部は、前記印刷データの送信中に前記バッテリー残量が基準値以下となると、送信中の前記印刷データを構築した前記印刷元データの前記再構築容易性レベルに基づき、前記印刷元データの再構築が不可能である場合には、前記印刷データを引き続き前記画像形成装置に送信し、前記印刷元データの再構築が可能である場合には、前記印刷データの送信を停止して、前記印刷元データの前記印刷元データアドレスを前記画像形成装置に送信し、前記画像形成装置は、前記モバイル端末から前記印刷データと前記印刷元データアドレスとを受信する印刷データ受信部と、前記印刷データ受信部によって受信された前記印刷データを印刷する印刷部と、前記印刷データ受信部によって前記印刷元データアドレスが受信されると、前記印刷元データアドレスにより前記印刷元データを取り出し、取り出した前記印刷元データから再構築した前記印刷データを前記印刷部によって印刷させる印刷データ再構築部とを備えることを特徴としている。
また、本発明の印刷システムの前記モバイル端末の前記印刷データ送信部は、前記印刷データのページ区切りまで送信した後に前記印刷元データアドレスを前記画像形成装置に送信することを特徴としている。
また、本発明の印刷システムの前記モバイル端末の前記再構築容易性レベルは、前記印刷元データアドレス、前記印刷元データが暗号化されているか否か、及び印刷元データにアクセスするときに認証が必要か否かの印刷元データ情報によりレベル分けされていることを特徴としている。
また、本発明の印刷システムの前記画像形成装置は、タイムアウト時間を管理するタイマー管理部を備え、前記印刷データ受信部は、前記印刷データを受信する又は前記タイマー管理部からタイムアウト通知を入力するまで待ち状態とすることを特徴としている。
本発明のモバイル端末は、バッテリー部から供給される電源で駆動するモバイル端末であって、印刷元データアドレスに基づいて取り出された印刷元データから印刷データを構築する印刷データ構築部と、前記バッテリー部のバッテリー残量を検知するバッテリー残量検知部と、画像形成装置により前記印刷元データの再構築が可能か不可能かの再構築容易性レベルを判定する再構築容易性判定部と、前記印刷データを前記画像形成装置に送信する印刷データ送信部とを具備し、前記印刷データ送信部は、前記印刷データの送信中に前記バッテリー残量が基準値以下となると、送信中の前記印刷データを構築した前記印刷元データの前記再構築容易性レベルに基づき、前記印刷元データの再構築が不可能である場合には、前記印刷データを引き続き前記画像形成装置に送信し、前記印刷元データの再構築が可能である場合には、前記印刷データの送信を停止して、前記印刷元データの前記印刷元データアドレスを前記画像形成装置に送信することを特徴としている。
本発明の画像形成装置は、モバイル端末と接続される画像形成装置であって、前記モバイル端末から印刷データと印刷元データアドレスとを受信する印刷データ受信部と、前記印刷データ受信部によって受信された前記印刷データを印刷する印刷部と、前記印刷データ受信部によって前記印刷元データアドレスが受信されると、前記印刷元データアドレスにより印刷元データを取り出し、取り出した前記印刷元データから再構築した前記印刷データを前記印刷部によって印刷させる印刷データ再構築部とを備えることを特徴としている。
【発明の効果】
【０００７】
本発明の印刷システム、モバイル端末、及び画像形成装置は、モバイル端末のバッテリーの電源が少なくなったときに、画像形成装置が同じ印刷データを作成することで、ページ途中の印刷をできるだけ行わないようにできる。
【図面の簡単な説明】
【０００８】
【図１】本発明の実施形態に係る印刷システムの構成を示す図である。
【図２】図１に示す印刷システムのモバイル端末と画像形成装置の機能構成を示す図である。
【図３】本発明の実施形態に係るモバイル端末が印刷データを構築して画像形成装置に送信する手順を示すフローチャートである。
【図４】本発明の実施形態に係る画像形成装置が印刷データをモバイル端末から受信して印刷する手順を示すフローチャートである。
【発明を実施するための形態】
【０００９】
以下、本発明を実施するための形態（以下、「実施形態」という）を、図面を参照して説明する。
【００１０】
まず、本実施形態の印刷システム１０のシステム構成について、図１を用いて説明する。図１に示すように、印刷システム１０は、モバイル端末１００、画像形成装置２００、アクセスポイント３００、ネットワーク４００、ルーター５００、インターネット６００、及びアクセスポイント７００により構成されている。画像形成装置２００とアクセスポイント３００はネットワーク４００に接続され、ネットワーク４００はルーター５００を経由してインターネット６００に接続されている。
【００１１】
モバイル端末１００は、携帯電話、スマートフォン、又はタブレット端末であり、ネットワーク４００のアクセスポイント３００、又はインターネット６００のアクセスポイント７００により画像形成装置２００とデータの送受信を行うことができる。
【００１２】
画像形成装置２００は、プリンター、多機能プリンター、多機能周辺装置、又は複合機であり、ネットワーク４００又はインターネット６００によりモバイル端末１００とデータの送受信を行うことができる。
【００１３】
アクセスポイント３００は、ネットワーク４００に接続され、無線通信によりアクセスポイント３００に対して接続要求を行っているモバイル端末１００をネットワーク４００に接続する。
【００１４】
ネットワーク４００は、ＬＡＮ（Local Area Network）などのネットワーク(イントラネット等)であり、画像形成装置２００と、アクセスポイント３００が接続されている。
【００１５】
ルーター５００は、ネットワーク４００に接続され、ネットワーク４００をインターネット６００に接続する。
【００１６】
インターネット６００は、インターネットやイントラネット等のＩＰネットワークであり、モバイル端末１００がアクセスポイント７００を経由して接続する。
【００１７】
次に、印刷システム１０のモバイル端末１００と画像形成装置２００の機能構成について、図２を用いて説明する。図２に示すモバイル端末１００と画像形成装置２００は、図１に示す印刷システム１０において、アクセスポイント３００によりネットワーク４００に接続又はアクセスポイント７００によりインターネット６００に接続するモバイル端末１００と、ネットワーク４００に接続する画像形成装置２００との機能構成を示す。
【００１８】
まず、モバイル端末１００の機能構成について、説明する。図２に示すモバイル端末１００は、制御部１１０、揮発メモリー部１２０、操作パネル１３０、操作パネル処理部１４０、バッテリー部１５０、バッテリー管理部１６０、及びネットワーク通信部１７０を備え、これら各部はバスなどにより接続される構成となっている。制御部１１０には、印刷データ構築処理部１１０ａ、印刷データ送信処理部１１０ｂ、バッテリー残量検知処理部１１０ｃ及び再構築容易性判定処理部１１０ｄが設けられている。揮発メモリー部１２０には、印刷元データ記憶エリア１２０ａ、印刷元データ情報記憶エリア１２０ｂ及び印刷データ記憶エリア１２０ｃが設けられている。
【００１９】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的なモバイル端末１００の制御を行う。
【００２０】
印刷データ構築処理部１１０ａは、ユーザーがモバイル端末１００の操作パネル１３０にインターネット６００のＷｅｂサーバー（図示せず）のＷｅｂサイトから取り出したデータ、ネットワーク４００のローカルサーバー（図示せず）から取り出したデータ、又はモバイル端末１００自身が記憶しているデータにおいて、印刷が要求されたデータ（以下、「印刷元データ」という）から画像形成装置２００が印刷可能なデータを作成（以下、「印刷データを構築」という）する。なお、印刷データを構築するときに、印刷データにはページの区切りを示すページ情報が設定される。印刷データ構築処理部１１０ａの詳細については、後述する。
【００２１】
印刷データ送信処理部１１０ｂは、印刷元データから構築した印刷データを画像形成装置２００に送信する。印刷データ送信処理部１１０ｂの詳細については、後述する。
【００２２】
バッテリー残量検知処理部１１０ｃは、バッテリー管理部１６０によりバッテリー部１５０のバッテリー残量を検知する。
【００２３】
再構築容易性判定処理部１１０ｄは、印刷元データが取り出されたＷｅｂサイトのＵＲＬ、ローカルサーバーのＩＰアドレス、又は揮発メモリー部１２０のエリア名などの印刷元データが取り出された場所を示すアドレス（以下、「印刷元データアドレス」という）、印刷元データが暗号化されているか否か、及び印刷元データにアクセスするときに認証が必要か否かの印刷元データ情報から画像形成装置２００における印刷元データの再構築容易性レベルを判定する。なお、再構築容易性レベルは、下記のようにレベル分けされ、再構築容易性レベル：０と、再構築容易性レベル：１であるときに、画像形成装置２００は印刷元データの再構築が可能となる。
再構築容易性レベル
０：印刷元データアドレスがＷｅｂサイトのＵＲＬ、送信元データは暗号化無し、及び印刷元データにアクセスするときに認証の必要無し
１：印刷元データアドレスがローカルサーバーのＩＰアドレス、送信元データは暗号化無し、及び印刷元データにアクセスするときに認証の必要無し
２：印刷元データアドレスがモバイル端末２００の揮発メモリー部１２０のエリア名
３：印刷元データアドレスがＷｅｂサイトのＵＲＬ且つ（送信元データは暗号化有り又は印刷元データにアクセスするときに認証の必要有り）
４：印刷元データアドレスがローカルサーバーのＩＰアドレス且つ（送信元データは暗号化有り又は印刷元データにアクセスするときに認証の必要有り）
【００２４】
揮発メモリー部１２０は、電源が供給されないと記憶している情報を保持しないメモリーで、制御部１１０が実行する処理のプログラムやデータを一時的に記憶する。
印刷元データ記憶エリア１２０ａは、ユーザーが印刷要求する印刷元データを一時的に記憶する。
印刷元データ情報記憶エリア１２０ｂは、印刷元データアドレス及び印刷元データの暗号化有無などの印刷データ情報を一時的に記憶する。
印刷データ記憶エリア１２０ｃは、構築された印刷データを一時的に記憶する。
【００２５】
操作パネル１３０は、操作画面、印刷元データや印刷データの画像の表示と、ユーザーによる操作受け付けを行う液晶パネルである。
【００２６】
操作パネル処理部１４０は、モバイル端末１００が備えている機能に対する操作項目を操作パネル１３０に表示する処理、印刷元データや印刷データの画像を操作パネル１３０に表示する処理、又は操作パネル１３０から画像形成装置２００に対して印刷要求などのユーザーの操作を入力する処理を行う。
【００２７】
バッテリー部１５０は、電源が必要なモバイル端末１００の部位に電源を供給し、モバイル端末１００を駆動する。
【００２８】
バッテリー管理部１６０は、バッテリー部１５０による電源の供給やバッテリー残量を管理する。
【００２９】
ネットワーク通信部１７０は、アクセスポイント３００を経由してネットワーク４００に接続する。また、ネットワーク通信部１７０は、アクセスポイント７００を経由してインターネット６００に接続する。
【００３０】
次に、画像形成装置２００の機能構成について、説明する。図２に示す画像形成装置２００は、制御部２１０、揮発メモリー部２２０、不揮発メモリー部２３０、操作パネル２４０、操作パネル処理部２５０、原稿読取部２６０、画像処理部２７０、印刷部２８０、及びネットワーク通信部２９０を備え、これら各部はバスなどにより接続される構成となっている。制御部２１０には、印刷データ受信処理部２１０ａ、印刷データ再構築処理部２１０ｂ及びタイマー管理処理部２１０ｃが設けられている。揮発メモリー部２２０には、印刷データ記憶エリア２２０ａが設けられている。不揮発メモリー部２３０には、画像データ記憶エリア２３０ａが設けられている。
【００３１】
制御部２１０は、ＲＡＭやＲＯＭ等の主記憶手段、及びＣＰＵ(Central Processing Unit)等の制御手段を備えている。また、制御部２１０は、各種Ｉ／Ｏや、ＵＳＢ（ユニバーサル・シリアル・バス）等のインターフェイス、バスコントローラー等を含む総合的な画像形成装置２００の制御を行う。
印刷データ受信処理部２１０ａは、モバイル端末１００から印刷データや印刷元データアドレスを受信し、印刷データの印刷を行う。印刷データ受信処理部２１０ａの詳細については、後述する。
印刷データ再構築処理部２１０ｂは、印刷元データアドレスにより印刷元データを取り出し、印刷元データから印刷データを再構築して印刷を行う。印刷データ再構築処理部２１０ｂの詳細については、後述する。
タイマー管理処理部２１０ｃは、予め設定されたタイムアウト時間になるとタイムアウト通知を制御部２１０に出力する。
【００３２】
揮発メモリー部２２０は、電源が供給されないと記憶している情報を保持しないメモリーで、制御部２１０が実行する処理のプログラムやデータを一時的に記憶する。
印刷データ記憶エリア２２０ａは、モバイル端末１００から受信した印刷データを一時的に記憶する。
【００３３】
不揮発メモリー部２３０は、電源を供給しなくても記憶している情報を保持するメモリーで、制御部２１０が実行する処理のプログラムやデータを記憶する。
画像データ記憶エリア２３０ａは、原稿読取部２６０から読み取られ画像処理部２７０により変換された画像データや、ネットワーク通信部２９０を経由してモバイル端末１００や他の画像形成装置２００から受信した画像データにおいて、ユーザーから要求があった画像データを記憶する。
【００３４】
操作パネル２４０は、操作画面、印刷データのプレビュー画像、又は画像データの画像の表示と、ユーザーによる操作受け付けを行う液晶パネルである。
【００３５】
操作パネル処理部２５０は、画像形成装置２００が備えている機能に対する操作項目を操作パネル２４０に表示する処理、印刷データのプレビュー画像や画像データの画像を操作パネル２４０に表示する処理、又は操作パネル２４０からユーザーの操作を入力する処理を行う。
【００３６】
原稿読取部２６０は、ユーザーによる操作パネル２４０からの読み取り操作により、画像形成装置２００の原稿台にセットされた原稿の読み取りを行い、読み取った原稿データを画像処理部２７０に出力する。
【００３７】
画像処理部２７０は、原稿読取部２６０が読み取った原稿データを入力すると、画像形成装置２００で処理可能な画像データに変換する。
【００３８】
印刷部２８０は、モバイル端末１００から受信する印刷データ、又はユーザーから印刷要求された画像データの印刷を行う。
【００３９】
ネットワーク通信部２９０は、着脱可能なＬＡＮインターフェイスを備え、ネットワーク４００に接続する。
【００４０】
次に、モバイル端末１００が印刷データを構築して画像形成装置２００に送信する手順について、図３のフローチャートを用いて説明する。ユーザーがモバイル端末１００の操作パネル１３０に送信元データを表示し、印刷ボタンをポイントすると、操作パネル処理部１４０に印刷要求通知が出力される。
【００４１】
（ステップＳ１０１）
まず、操作パネル処理部１４０は、印刷要求通知を入力すると、印刷データ構築開始通知、印刷元データ、印刷元データアドレス及び印刷元データの暗号化有無などの印刷元データ情報を印刷データ構築処理部１１０ａに出力する。
【００４２】
（ステップＳ１０２）
次いで、印刷データ構築処理部１１０ａは、印刷データ構築開始通知を入力すると、印刷元データを入力し、印刷元データ記憶エリア１２０ａに記憶する。
【００４３】
（ステップＳ１０３）
次いで、印刷データ構築処理部１１０ａは、印刷元データ情報を入力すると、印刷元データ情報記憶エリア１２０ｂに記憶する。
【００４４】
（ステップＳ１０４）
次いで、印刷データ構築処理部１１０ａは、印刷元データ記憶エリア１２０ａから１ページ分の印刷元データを取り出し、印刷データを構築する。
【００４５】
（ステップＳ１０５）
次いで、印刷データ構築処理部１１０ａは、構築した印刷データを印刷データ記憶エリア１２０ｃに記憶する。
【００４６】
（ステップＳ１０６）
次いで、印刷データ構築処理部１１０ａは、全てのページの印刷データを構築したかを判断する。全てのページの印刷データを構築したとき（ステップＳ１０６のＹｅｓ）は、ステップＳ１０７に進む。全てのページの印刷データを構築していないとき（ステップＳ１０６のＮｏ）は、ステップＳ１０４に戻る。
【００４７】
（ステップＳ１０７）
次いで、印刷データ構築処理部１１０ａは、印刷データ送信処理部１１０ｂに印刷データ送信開始通知を出力する。
【００４８】
（ステップＳ１０８）
次いで、印刷データ送信処理部１１０ｂは、印刷データ送信開始通知を入力すると、パケットカウンター（Ｉ）に初期値である「１」をセットする。
【００４９】
（ステップＳ１０９）
次いで、印刷データ送信処理部１１０ｂは、（Ｉ）番目のパケットに格納する印刷データを印刷データ記憶エリア１２０ｃから取り出し、（Ｉ）番目のパケットに格納する。
【００５０】
（ステップＳ１１０）
次いで、印刷データ送信処理部１１０ｂは、（Ｉ）番目のパケットをネットワーク通信部１７０により画像形成装置２００に送信する。
【００５１】
（ステップＳ１１１）
次いで、印刷データ送信処理部１１０ｂは、印刷データの送信が完了したかを判断する。印刷データの送信が完了したとき（ステップＳ１１１のＹｅｓ）は、印刷データ送信処理を終了する。印刷データの送信が完了しないとき（ステップＳ１１１のＮｏ）は、ステップＳ１１２に進む。
【００５２】
（ステップＳ１１２）
ステップＳ１１１のＮｏにおいて、印刷データ送信処理部１１０ｂは、バッテリー残量検知処理部１１０ｃによりバッテリー残量をバッテリー管理部１６０から検知する。
【００５３】
（ステップＳ１１３）
次いで、印刷データ送信処理部１１０ｂは、バッテリー残量が基準値以下であるかを判断する。バッテリー残量が基準値以下であるとき（ステップＳ１１３のＹｅｓ）は、ステップＳ１１４に進む。バッテリー残量が基準値以下でないとき（ステップＳ１１３のＮｏ）は、ステップＳ１１９に進む。
【００５４】
（ステップＳ１１４）
ステップＳ１１３のＹｅｓにおいて、印刷データ送信処理部１１０ｂは、再構築容易性判定処理部１１０ｄにより再構築容易性レベルを決定する。再構築容易性判定処理部１１０ｄは、印刷元データ情報記憶エリア１２０ｂに記憶されている印刷元データアドレス及び印刷元データの暗号化有無に基づいて再構築容易性レベルを決定する。
【００５５】
（ステップＳ１１５）
印刷データ送信処理部１１０ｂは、再構築容易性レベルが０又は１（再構築が可能な印刷データ）であるかを判断する。再構築が可能な印刷データであるとき（ステップＳ１１５のＹｅｓ）は、ステップＳ１１６に進む。再構築が可能な印刷データでないとき（ステップＳ１１５のＮｏ）は、ステップＳ１１９に進む。
【００５６】
（ステップＳ１１６）
ステップＳ１１５のＹｅｓにおいて、印刷データ送信処理部１１０ｂは、印刷データのページ区切りまで送信が完了しているかを判断する。印刷データのページ区切りまで送信が完了しているとき（ステップＳ１１６のＹｅｓ）は、ステップＳ１１７に進む。印刷データのページ区切りまで送信が完了していないとき（ステップＳ１１６のＮｏ）は、ステップＳ１１９に進む。
【００５７】
（ステップＳ１１７）
ステップＳ１１６のＹｅｓにおいて、印刷データ送信処理部１１０ｂは、印刷元データ情報記憶エリア１２０ｂから印刷元データアドレスを取り出す。
【００５８】
（ステップＳ１１８）
次いで、印刷データ送信処理部１１０ｂは、印刷元データアドレスをネットワーク通信部１７０により画像形成装置２００に送信する。
【００５９】
（ステップＳ１１９）
ステップＳ１１３のＮｏ、ステップＳ１１５のＮｏ又はステップＳ１１６のＮｏにおいて、印刷データ送信処理部１１０ｂは、パケットカウンター（Ｉ）に「１」を加算すると、ステップＳ１０９に戻る。
【００６０】
次に、画像形成装置２００が印刷データをモバイル端末１００から受信して印刷する手順について、図４のフローチャートを用いて説明する。画像形成装置２００が起動されると制御部２１０により印刷データ受信処理部２１０ａに印刷データ受信処理開始通知が出力される。
【００６１】
（ステップＳ２０１）
まず、印刷データ受信処理部２１０ａは、印刷データ受信処理開始通知を入力すると、ページカウンター（Ｐ）を「０」で初期化する。
【００６２】
（ステップＳ２０２）
次いで、印刷データ受信処理部２１０ａは、ページ区切り印刷完了フラグ（Ｋ）にページ区切り印刷未を示す「０」をセットする。
【００６３】
（ステップＳ２０３）
次いで、印刷データ受信処理部２１０ａは、タイマーカウンター（Ｔ）を「０」で初期化する。
【００６４】
（ステップＳ２０４）
次いで、印刷データ受信処理部２１０ａは、ネットワーク通信部２９０により印刷データを受信、又はタイマー管理処理部２１０ｃによりタイムアウト通知が出力されるまで待ち状態とする。
【００６５】
（ステップＳ２０５）
次いで、印刷データ受信処理部２１０ａは、印刷データを受信又はタイムアウト通知を入力すると、印刷データを受信したかを判断する。印刷データを受信したとき（ステップＳ２０５のＹｅｓ）は、ステップＳ２０６に進む。印刷データを受信せずにタイムアウト通知を入力したとき（ステップＳ２０５のＮｏ）は、ステップＳ２１３に進む。
【００６６】
（ステップＳ２０６）
ステップＳ２０５のＹｅｓにおいて、印刷データ受信処理部２１０ａは、受信した１パケットの印刷データを印刷データ記憶エリア２２０ａに記憶する。
【００６７】
（ステップＳ２０７）
次いで、印刷データ受信処理部２１０ａは、受信した１パケットの印刷データに設定されているページ情報により、ページ区切りまでの印刷データを受信したかを判断する。ページ区切りまでの印刷データを受信したとき（ステップＳ２０７のＹｅｓ）は、ステップＳ２０８に進む。ページ区切りまでの印刷データを受信していないとき（ステップＳ２０７のＮｏ）は、ステップＳ２１２に進む。
【００６８】
（ステップＳ２０８）
ステップＳ２０７のＹｅｓにおいて、印刷データ受信処理部２１０ａは、１ページの印刷データを印刷データ記憶エリア２２０ａから取り出し、印刷部２８０により印刷する。なお、印刷データ受信処理部２１０ａにより取り出された印刷データは、印刷データ記憶エリア２２０ａから削除される。
【００６９】
（ステップＳ２０９）
次いで、印刷データ受信処理部２１０ａは、ページカウンター（Ｐ）に「１」を加算する。
【００７０】
（ステップＳ２１０）
次いで、印刷データ受信処理部２１０ａは、ページ区切り印刷完了フラグ（Ｋ）にページ区切り印刷済みを示す「１」をセットする。
【００７１】
（ステップＳ２１１）
次いで、印刷データ受信処理部２１０ａは、タイマーカウンター（Ｔ）を「０」で初期化すると、ステップＳ２０４に戻る。
【００７２】
（ステップＳ２１２）
ステップＳ２０７のＮｏにおいて、印刷データ受信処理部２１０ａは、ページ区切り印刷完了フラグ（Ｋ）にページ区切り印刷未を示す「０」をセットすると、ステップＳ２０４に戻る。
【００７３】
（ステップＳ２１３）
ステップＳ２０５のＮｏにおいて、印刷データ受信処理部２１０ａは、タイマーカウンター（Ｔ）が予め設定されたタイムアウト値以上であるかを判断する。タイマーカウンター（Ｔ）がタイムアウト値以上であるとき（ステップＳ２１３のＹｅｓ）は、ステップＳ２１４に進む。タイマーカウンター（Ｔ）がタイムアウト値以上でないとき（ステップＳ２１３のＮｏ）は、ステップＳ２２２に進む。
【００７４】
（ステップＳ２１４）
ステップＳ２１３のＹｅｓにおいて、印刷データ受信処理部２１０ａは、ページ区切り印刷完了フラグ（Ｋ）にページ区切り印刷済みを示す「１」をセットされているかを判断する。ページ区切り印刷完了フラグ（Ｋ）に「１」をセットされているとき（ステップＳ２１４のＹｅｓ）は、ステップＳ２１５に進む。ページ区切り印刷完了フラグ（Ｋ）に「１」がセットされていないとき（ステップＳ２１４のＮｏ）は、ステップＳ２２０に進む。
【００７５】
（ステップＳ２１５）
ステップＳ２１４のＹｅｓにおいて、印刷データ受信処理部２１０ａは、ネットワーク通信部２９０によりモバイル端末１００から印刷元データアドレスを受信したかを判断する。印刷元データアドレスを受信したとき（ステップＳ２１５のＹｅｓ）は、ステップＳ２１６に進む。印刷元データアドレスを受信していないとき（ステップＳ２１５のＮｏ）は、ステップＳ２０１に戻る。
【００７６】
（ステップＳ２１６）
ステップＳ２１５のＹｅｓにおいて、印刷データ受信処理部２１０ａは、印刷元データアドレスを印刷データ再構築処理部２１０ｂに出力する。
【００７７】
（ステップＳ２１７）
次いで、印刷データ再構築処理部２１０ｂは、印刷元データアドレスを入力すると、印刷元データアドレスが示す場所から印刷元データを取り出す。
【００７８】
（ステップＳ２１８）
次いで、印刷データ再構築処理部２１０ｂは、取り出した印刷元データから印刷データを構築する。
【００７９】
（ステップＳ２１９）
次いで、印刷データ再構築処理部２１０ｂは、構築した印刷データにおいてページカウンター（Ｐ）以外の残りのページを印刷部２８０により印刷すると、ステップＳ２０１に戻る。
【００８０】
（ステップＳ２２０）
ステップＳ２１４のＮｏにおいて、印刷データ受信処理部２１０ａは、印刷データ記憶エリア２２０ａから印刷データを取り出す。
【００８１】
（ステップＳ２２１）
次いで、印刷データ受信処理部２１０ａは、取り出した残りの印刷データを印刷部２８０により印刷すると、ステップＳ２０１に戻る。
【００８２】
（ステップＳ２２２）
ステップＳ２１３のＮｏにおいて、印刷データ受信処理部２１０ａは、タイマーカウンター（Ｔ）に「１」を加算すると、ステップＳ２０４に戻る。
【００８３】
以上により、モバイル端末１００は、印刷データを画像形成装置２００に送信している途中でバッテリー残量が基準値以下になったときに、画像形成装置２００が取得できる印刷元データの印刷データについては、ページ区切りまで印刷データを送信した後に、印刷元データアドレスを画像形成装置２００に送信する。また、画像形成装置２００は、印刷データをページ区切りまで受信した後に、次の印刷データを受信せずに印刷元データアドレスを受信したときには、印刷元データアドレスから印刷元データを取り出し、印刷元データから印刷データを再構築して残りのページの印刷データを印刷する。
また、モバイル端末１００は、印刷データを画像形成装置２００に送信している途中でバッテリー残量が基準値以下になったときに、画像形成装置２００が取得できない印刷元データの印刷データについては、バッテリーが切れるまでそのまま継続して画像形成装置に送信する。また、画像形成装置２００は、ページ区切りまで印刷データを受信したか否かに係わらず、受信した全ての印刷データを印刷する。
このような手順により、モバイル端末１００のバッテリーの電源が少なくなった場合でも、画像形成装置２００が取得できる印刷元データの場合には、画像形成装置２００が以降のページの印刷データを構築して印刷することができるので、ページ途中の印刷を極力行わないようにできる。
【００８４】
なお、実施形態においては、モバイル端末１００と画像形成装置２００とをネットワーク４００で接続し、ネットワーク４００によりモバイル端末１００と画像形成装置２００はデータの送受信を行うようにしたが、これに限定されない。例えば、モバイル端末１００と画像形成装置２００とを近距離無線通信で接続し、この近距離無線通信によりモバイル端末１００と画像形成装置２００がデータの送受信することも可能である。また、モバイル端末１００と画像形成装置２００とをインターネット６００により直接接続し、インターネット６００の通信プロトコルを用いて、モバイル端末１００と画像形成装置２００がデータの送受信することも可能である。
【００８５】
このような本発明の印刷システム、モバイル端末、及び画像形成装置は、モバイル端末のバッテリーの電源が少なくなったときに、画像形成装置が同じ印刷データを作成することで、ページ途中の印刷をできるだけ行わないようにできる。
【００８６】
以上、具体的な実施の形態により本発明を説明したが、上記実施の形態は本発明の例示であり、この実施の形態に限定されないことは言うまでもない。
【産業上の利用可能性】
【００８７】
本発明の印刷システム、モバイル端末、及び画像形成装置は、印刷を要求する端末、印刷を行う装置、及びこれらの端末や装置を備えるあらゆるシステムに適用できる。
【符号の説明】
【００８８】
１０・・・・・印刷システム
１００・・・・・モバイル端末
１１０・・・・・制御部
１１０ａ・・・・印刷データ構築処理部
１１０ｂ・・・・印刷データ送信処理部
１１０ｃ・・・・バッテリー残量検知処理部
１１０ｄ・・・・再構築容易性判定処理部
１２０・・・・・揮発メモリー部
１２０ａ・・・・印刷元データ記憶エリア
１２０ｂ・・・・印刷元データ情報記憶エリア
１２０ｃ・・・・印刷データ記憶エリア
１３０・・・・・操作パネル
１４０・・・・・操作パネル処理部
１５０・・・・・バッテリー部
１６０・・・・・バッテリー管理部
１７０・・・・・ネットワーク通信部
２００・・・・・画像形成装置
２１０・・・・・制御部
２１０ａ・・・・印刷データ受信処理部
２１０ｂ・・・・印刷データ再構築処理部
２１０ｃ・・・・タイマー管理処理部
２２０・・・・・揮発メモリー部
２２０ａ・・・・印刷データ記憶エリア
２３０・・・・・不揮発メモリー部
２３０ａ・・・・画像データ記憶エリア
２４０・・・・・操作パネル
２５０・・・・・操作パネル処理部
２６０・・・・・原稿読取部
２７０・・・・・画像処理部
２８０・・・・・印刷部
２９０・・・・・ネットワーク通信部
３００・・・・・アクセスポイント
４００・・・・・ネットワーク
５００・・・・・ルーター
６００・・・・・インターネット
７００・・・・・アクセスポイント
【図１】
2016151905.tif 000003
【図２】
2016151905.tif 000004
【図３】
2016151905.tif 000005
【図４】
2016151905.tif 000006